【手続補正書】
【提出日】平成20年10月28日(2008.10.28)
【手続補正１】
【補正対象書類名】明細書
【補正対象項目名】００６４
【補正方法】変更
【補正の内容】
【００６４】
horizontal_offset[ i ]およびverticial_offset[ i ]は、ビットストリーム全体によって表される領域全体の左上の画素に対する、レイヤーIDがiであるスケーラブルレイヤー表現によって表される長方形領域の左上の画素の水平および垂直オフセットをそれぞれ示す。単位は、最も高い空間的分解能のスケールにおけるlumaサンプルのものである。
【手続補正２】
【補正対象書類名】特許請求の範囲
【補正対象項目名】全文
【補正方法】変更
【補正の内容】
【特許請求の範囲】
【請求項１】
スケーラブルデータストリームを符合化する方法であって、
スケーラブルデータストリームのために少なくとも１つの拡張レイヤーを生成することであって、前記少なくとも１つの拡張レイヤーは符号化特性によって特徴付けられ、前記符号化特性が、
・  前記少なくとも１つの拡張レイヤーによってカバーされる領域の位置を表すサブピクチャスケーラブルレイヤー情報、
・  復号依存関係情報、
のうちの少なくとも１つを含むことと、
前記符号化特性が、前記少なくとも１つの拡張レイヤー全体の復号を必要とせずに復号器によって読み取り可能であるように、前記少なくとも１つの拡張レイヤーを前記特徴付けられた符号化特性と共にシグナリングすることと、を含む方法。
【請求項２】
前記シグナリングは、前記スケーラブルデータストリームのビットストリーム内で実行される、請求項１に記載の方法。
【請求項３】
前記シグナリングは、前記スケーラブルデータストリームを格納することができるファイルフォーマットの範囲内で実行される、請求項１に記載の方法。
【請求項４】
前記シグナリングは、前記スケーラブルデータストリームを伝送することができる伝送プロトコル内で実行される、請求項１に記載の方法。
【請求項５】
スケーラブルデータストリームを復号する方法であって、
少なくとも１つの拡張レイヤーを含むスケーラブルデータストリームを受信することと、
前記少なくとも１つの拡張レイヤーの符号化特性を受信することと、
を含み、前記符号化特性が、
・  サブサンプルスケーラブルレイヤー情報、
・  復号依存関係情報
のうちの少なくとも１つを含む、方法。
【請求項６】
・  前記少なくとも１つの拡張レイヤー全体を復号せずに、少なくとも１つのレイヤーの前記符号化特性を調査することと、
・  前記調査に基づいて前記少なくとも１つの拡張レイヤーの復号が可能であるかどうかを決定することと、
・  前記復号が可能であると決定した場合に、前記少なくとも１つの拡張レイヤーを復号することと、
をさらに含む、請求項５に記載の方法。
【請求項７】
前記符号化特性は、前記スケーラブルデータストリームのビットストリーム内で受信される、請求項５に記載の方法。
【請求項８】
前記スケーラブルデータストリームを格納することができるファイルフォーマット内で前記符号化特性を受信すること、及び、前記ファイルフォーマットを調査することを含む、請求項５に記載の方法。
【請求項９】
前記スケーラブルデータストリームを伝送することができる伝送プロトコル内で前記符号化特性を受信することを含む、請求項５に記載の方法。
【請求項１０】
前記符号化特性が、前記少なくとも１つの拡張レイヤーを復号するために割り当てられるべきメモリの量を表すバッファ情報を含む、請求項５に記載の方法。
【請求項１１】
スケーラブルデータストリームを符合化するための装置であって、
スケーラブルデータストリームのうちの少なくとも１つの拡張レイヤーを生成するためのスケーラブルデータ符号化器であって、前記少なくとも１つの拡張レイヤーは符号化特性によって特徴付けられ、前記符号化特性が、
・  前記少なくとも１つの拡張レイヤーによってカバーされる領域の位置を表すサブピクチャスケーラブルレイヤー情報、
・  復号依存関係情報、
のうちの少なくとも１つを含む、スケーラブルデータ符号化器と、
前記符号化特性が、前記拡張レイヤー全体の復号を必要とせずに復号器によって読み取り可能であるように、前記少なくとも１つの拡張レイヤーを前記特徴付けられた符号化特性と共にシグナリングするためのシグナリングコンポーネントと、
を備える装置。
【請求項１２】
前記シグナリングが前記スケーラブルデータストリームのビットストリーム内で実行されるように前記第二のコンポーネントが構成される、請求項１１に記載の装置。
【請求項１３】
前記シグナリングが前記スケーラブルデータストリームを格納することができるファイルフォーマットの範囲内で実行されるように前記シグナリングコンポーネントが構成される、請求項１１に記載の装置。
【請求項１４】
前記シグナリングが前記スケーラブルデータストリームを伝送することができる伝送プロトコル内で実行されるように前記シグナリングコンポーネントが構成される、請求項14に記載の、異なる符号化特性を有するレイヤーを含むようにスケーラブルデータストリームを符合化するための装置。
【請求項１５】
前記データストリームは、ビデオデータを含む、請求項１１に記載の装置。
【請求項１６】
スケーラブルデータストリームを復号するための装置であって、
スケーラブルデータストリーム内の少なくとも１つの拡張レイヤーを識別して、その符号化特性の前記レイヤーに関連付けられた符号化特性の表示を読み取るためのコンポーネントであって、前記符号化特性が、
・  前記少なくとも１つの拡張レイヤーによってカバーされる領域の位置を表すサブピクチャスケーラブルレイヤー情報、
・  復号依存関係情報、
のうちの少なくとも１つを含む、コンポーネントを備える、装置。
【請求項１７】
復号器と、
前記復号器が前記符号化特性に基づいて前記拡張レイヤーを復号できるかどうかを決定するための第２のコンポーネントと、
を備える、請求項１６に記載の装置。
【請求項１８】
前記データストリームがビデオデータを含む、請求項１６に記載の装置。
【請求項１９】
スケーラブルデータストリームを実行する、コンピュータ読み取り可能な媒体に格納されるデータ構造であって、
第一の符号化特性を有する、データの第一のレイヤーであって、前記符号化特性が、
・  前記少なくとも１つの拡張レイヤーによってカバーされる領域の位置を表すサブピクチャスケーラブルレイヤー情報、
・  復号依存関係情報、
のうちの少なくとも１つを含む、第一のレイヤーと、
前記第一の符号化特性を識別する、前記第一のレイヤーに関連付けられた第一の表示と、
第二の符号化特性を有する、データの第二のレイヤーと、
前記第二の符号化特性を識別する、前記第二のレイヤーに関連付けられた第二の表示と、
を含むデータ構造。
【請求項２０】
前記第一の表示は、前記スケーラブルデータストリームのビットストリームに関連付けられる、請求項１９に記載のデータ構造。
【請求項２１】
前記第一の表示は、前記スケーラブルデータストリームを格納することができるファイルフォーマットに関連付けられる、請求項１９に記載のデータ構造。
【請求項２２】
前記スケーラブルデータストリームはビデオデータを含む、請求項１９に記載のデータ構造。
【請求項２３】
コンピュータ読み取り可能な媒体に格納された、スケーラブルデータストリームを符合化するためのプログラムであって、前記プログラムは、実行されることにより、１つ以上のデバイスに、
スケーラブルデータストリームのうちの少なくとも１つの拡張レイヤーを生成することであって、前記少なくとも１つの拡張レイヤーは符号化特性によって特徴付けられ、前記符号化特性が、
・  前記少なくとも１つの拡張レイヤーによってカバーされる領域の位置を表すサブピクチャスケーラブルレイヤー情報、
・  復号依存関係情報、
のうちの少なくとも１つを含むことと、
前記少なくとも１つの拡張レイヤー全体の復号を必要とせずに前記符号化特性が復号器によって読み取り可能であるように、前記少なくとも１つの拡張レイヤーを、特徴付けられた符号化特性と共にシグナリングすることと、
を実行させるための機械可読のプログラムコードを含む、プログラム。
【請求項２４】
前記シグナリングは、前記スケーラブルデータストリームのビットストリーム内で実行される、請求項２３に記載のプログラム。
【請求項２５】
前記シグナリングは、前記スケーラブルデータストリームを格納することができるファイルフォーマットの範囲内で実行される、請求項２３に記載のプログラム。
【請求項２６】
前記シグナリングは、前記スケーラブルデータストリームを伝送することができる伝送プロトコル内で実行される、請求項２３に記載のプログラム。
【請求項２７】
前記データストリームは、ビデオデータを含む、請求項２３に記載のプログラム。
【請求項２８】
スケーラブルデータストリームを符合化するための装置であって、
スケーラブルデータストリームのうちの少なくとも１つの拡張レイヤーを生成するための手段であって、前記少なくとも１つの拡張レイヤーが、符号化特性によって特徴付けられ、前記前記符号化特性が、
・  前記少なくとも１つの拡張レイヤーによってカバーされる領域の位置を表すサブピクチャスケーラブルレイヤー情報、
・  復号依存関係情報、
のうちの少なくとも１つを含む手段と、
前記少なくとも１つの拡張レイヤー全体の復号を必要とせずに前記符号化特性が復号器によって読み取り可能であるように、前記レイヤーを前記特徴付けられた符号化特性と共にシグナリングするための手段と、
を含むデバイス。
【請求項２９】
前記データストリームは、ビデオデータを含む、請求項２８に記載の装置。
【請求項３０】
スケーラブルデータストリームを変更するための装置であって、
少なくとも１つの拡張レイヤーを含むデータストリームを受信して、前記データストリームのレイヤーに関連付けられた符号化特性インジケータを読み取るための第一のコンポーネントであって、前記符号化特性が、
・  前記少なくとも１つの拡張レイヤーによってカバーされる領域の位置を表すサブピクチャスケーラブルレイヤー情報、
・  復号依存関係情報、
のうちの少なくとも１つを含む、第一のコンポーネントと、
どのレイヤーが送信先の復号器によって復号可能かを決定するように、前記符号化特性インジケータを送信先の復号器の機能と比較するための第二のコンポーネントと、
前記送信先の復号器によって復号可能とすべき前記データストリームを変更するための第三のコンポーネントと、
前記修正したデータストリームを前記送信先の復号器に伝送するための第四のコンポーネントと、
を備える変換器。
【請求項３１】
前記第三のコンポーネントは、前記送信先の復号器による復号が不可能である前記データストリームのレイヤーを取り除くように構成される、請求項３０に記載の装置。
【請求項３２】
スケーラブルデータストリームを復号するための装置であって、
少なくとも１つの拡張レイヤーを含むスケーラブルデータストリームを受信するための手段と、
前記スケーラブルデータストリーム内の前記少なくとも１つの拡張レイヤーを識別して、前記拡張レイヤーに関連付けられた符号化特性の表示を読み取るための手段であって、前記符号化特性が、
・  前記少なくとも１つの拡張レイヤーによってカバーされる領域の位置を表すサブピクチャスケーラブルレイヤー情報、
・  復号依存関係情報、
のうちの少なくとも１つを含む手段と、
を備える装置。
【請求項３３】
前記装置が前記符号化特性に基づいて前記少なくとも１つの拡張レイヤーを復号できるかどうかを決定するための手段と、
前記装置が、前記符号化特性に基づいて前記少なくとも１つの拡張レイヤーを復号することができると決定した場合に、前記少なくとも１つの拡張レイヤーを復号するための手段と、
を備える請求項３２に記載の装置。
【請求項３４】
スケーラブルデータストリームを復号するための装置であって、
少なくとも１つの拡張レイヤーを含むスケーラブルデータストリームを受信するように構成された受信器と、
前記スケーラブルデータストリーム内の前記少なくとも１つの拡張レイヤーを識別して、前記少なくとも１つの拡張レイヤーに関連付けられた符号化特性の表示を読み取るように構成された識別子であって、前記符号化特性が、
・  前記少なくとも１つの拡張レイヤーによってカバーされる領域の位置を表すサブピクチャスケーラブルレイヤー情報、
・  復号依存関係情報、
のうちの少なくとも１つを備える装置。
【請求項３５】
コンピュータ読み取り可能な媒体に格納される、スケーラブルデータストリームを復号するためのプログラムであって、前記プログラムは、実行されることにより、１つ以上のデバイスに、
少なくとも１つの拡張レイヤーを含むスケーラブルデータストリームを受信することと、
前記少なくとも１つの拡張レイヤーの符号化特性を受信することであって、前記符号化特性が、
・  前記少なくとも１つの拡張レイヤーによってカバーされる領域の位置を表すサブピクチャスケーラブルレイヤー情報、
・  復号依存関係情報、
のうちの少なくとも１つを含むことと、
を実行させるための機械可読のプログラムコードを含む、プログラム。
【請求項３６】
復号器が前記符号化特性に基づいて前記レイヤーを復号することができるかどうかを決定するためのコンピュータコード、及び、
前記復号器が前記符号化特性に基づいて前記レイヤーを復号することができると決定された場合に、前記レイヤーを復号するためのコンピュータコード、
を含む、請求項３５に記載のプログラム。
【請求項３７】
スケーラブルデータストリームを符合化するための符号器を有する符号化デバイスであって、前記符号器が、
前記スケーラブルデータストリームのうちの少なくとも１つの拡張レイヤーを生成するための第一のコンポーネントであって、前記少なくとも１つの拡張レイヤーは符号化特性によって特徴付けられ、前記符号化特性が、
・  前記少なくとも１つの拡張レイヤーによってカバーされる領域の位置を表すサブピクチャスケーラブルレイヤー情報、
・  復号依存関係情報、
のうちの少なくとも１つを含む第一のコンポーネントと、
前記符号化特性が、前記少なくとも１つの拡張レイヤー全体の復号を必要とせずに復号器によって読み取り可能であるように、前記拡張レイヤーを前記特徴付けられた符号化特性と共にシグナリングするための第二のコンポーネントと、
を備えるデバイス。
【請求項３８】
前記符号化特性を前記スケーラブルデータストリームのビットストリーム中で受信するように構成される、請求項１６に記載の装置。
【請求項３９】
前記符号化特性を、前記スケーラブルデータストリームを格納しうるファイルフォーマット中で受信し、
前記ファイルフォーマットを検査する
ように構成される、請求項１６に記載の装置。
【請求項４０】
前記符号化特性を、前記スケーラブルデータストリームを送信しうる送信プロトコルによって受信するように構成される、請求項１６に記載の装置。